(57)【要約】【課題】交流電動機による直流電動機の連れ回しに起因する損傷を防止する。【解決手段】交流電動機１と直流電動機４とを切離すまたは接続するクラッチ３を介して連結し、通常の運転時にはクラッチ３で直流電動機４を切離し交流電動機１による運転を行い、交流電動機１による運転が行えないときにはクラッチ３で直流電動機４を交流電動機１に接続して直流電動機４による運転を行う電動機装置において、直流電動機４の回転を検出する回転検出器８を備え、交流電動機１の駆動時に回転検出器８で直流電動機４の回転を検出したときは、交流電動機１の運転を停止させる。【選択図】図１
2009118598.tif 000002
【特許請求の範囲】
【請求項１】
交流電動機と直流電動機とを切離すまたは接続するクラッチを介して連結し、通常の運転時には前記クラッチで前記直流電動機を切離し前記交流電動機による運転を行い、前記交流電動機による運転が行えないときには前記クラッチで前記直流電動機を前記交流電動機に接続して前記直流電動機による運転を行う電動機装置において、前記直流電動機の回転を検出する回転検出器を備え、前記交流電動機の駆動時に前記回転検出器で前記直流電動機の回転を検出したときは、前記交流電動機の運転を停止させるようにしたことを特徴とする電動機装置。
【請求項２】
前記直流電動機には、駆動スイッチを設け、前記直流電動機の界磁回路には、前記駆動スイッチの開閉と連動して開閉する界磁スイッチを設けたことを特徴とする請求項１記載の電動機装置。
【発明の詳細な説明】
【技術分野】
【０００１】
この発明は、交流電動機と直流電動機とを切離すまたは接続するクラッチを介して連結し、通常の運転時にはクラッチで直流電動機を切離し交流電動機による運転を行い、交流電動機による運転が行えないときにはクラッチで直流電動機を交流電動機に接続して直流電動機による運転を行う電動機装置に関するものである。
【背景技術】
【０００２】
通常の運転時には交流電動機で運転を行い、交流電源断等の理由により交流電動機での運転が行えない場合には直流電動機による運転を行う電動機装置において、従来装置では、交流電動機による直流電動機の連れ回しが生じていてもその事象を捉えることができていない。
【０００３】
【特許文献１】特開昭５８−４６８９６号公報
【発明の開示】
【発明が解決しようとする課題】
【０００４】
従来の交流電動機と直流電動機のベルト接続は、それぞれの反負荷側にプーリを設置し、交流電動機軸とプーリの間に切離すまたは接続するカムクラッチ（又はクラッチ）を設け、通常の運転時にはカムクラッチで直流電動機を切離し交流電動機による運転を行い、直流電動機が停止しているときには空回りする構成となっているが、カムクラッチの異常、又は、ベルト張力の異常等により、直流電動機が連れ回された場合には、保護機能がなく直流電動機の損傷に至る問題点があった。
【０００５】
この発明は上記のような問題を解決するためになされたものであり、直流電動機の連れ回しによる損傷を防止できると共に、上記構成の電動機装置が適用されるプラントにおいて、プラントの安全な運転を得ることを目的とする。
【課題を解決するための手段】
【０００６】
この発明に係わる電動機装置は、交流電動機と直流電動機とを切離すまたは接続するクラッチを介して連結し、通常の運転時には前記クラッチで前記直流電動機を切離し前記交流電動機による運転を行い、前記交流電動機による運転が行えないときには前記クラッチで前記直流電動機を前記交流電動機に接続して前記直流電動機による運転を行う電動機装置において、前記直流電動機の回転を検出する回転検出器を備え、前記交流電動機の駆動時に前記回転検出器で前記直流電動機の回転を検出したときは、前記交流電動機の運転を停止させるようにしたものである。
【発明の効果】
【０００７】
この発明の電動機装置によれば、直流電動機の連れ回しによる損傷を防止できる。
【発明を実施するための最良の形態】
【０００８】
実施の形態１．
図１はこの発明の実施の形態１による電動機装置を示す構成図である。図１において、交流電動機１は反負荷側にプーリ２を設け、プーリ２と交流電動機１の軸との間に切離すまたは接続するカムクラッチ（又はクラッチ）３を設けている。直流電動機４は反負荷側にプーリ５を設け、プーリ２とプーリ５間をベルト６で連結し、交流電動機１と直流電動機４が連結されている。交流電動機１には負荷となる補機７が接続されている。交流電動機１が運転中の正常な状態では、カムクラッチ３で交流電動機１と直流電動機４とを切離し、カムクラッチ３は空転し、交流電動機１の運転中（駆動中）に直流電動機４が連れ回されることはない。
【０００９】
交流電動機１が電源遮断等で運転できないときは、カムクラッチ３で交流電動機１と直流電動機４とを接続し、直流電動機４により、プーリ５、ベルト６、プーリ２、カムクラッチ３を通して交流電動機１と共に補機７を駆動する。直流電動機４の状態を監視するためその回転を検出する回転検出器８を設置し、カムクラッチ３の異常、または、ベルト６の張力異常等により、交流電動機１の運転中（駆動中）に直流電動機４が連れ回されていないかを監視する。なお、９は電動機装置の台板である。
【００１０】
図２は実施の形態１による制御ロジック図である。次に動作について、図２の制御ロジック図で説明する。交流電動機１の電源が投入されている間、つまり駆動時に回転検出器８で直流電動機４の回転を検出すると、ＡＮＤ回路１０の出力により、交流電動機１を停止する。あるいは警報を発生する。これにより直流電動機４の損傷を防ぐことができるという効果がある。また、交流電動機１の始動状態で、回転検出器８で直流電動機４の回転を検出すると、交流電動機１を停止するようにしてもよい。このようにして、直流電動機４の連れ回しを放置すると、直流電動機４が発電機となり、発電機として高電圧を発するが、これを防止できる。
【００１１】
実施の形態２．
実施の形態１では、直流電動機４の交流電動機１による連れ回しを防止する構成について述べたが、実施の形態１の構成に付加した、さらに安全な構成について説明する。図３は実施の形態２による電動機装置の直流電動機を示す回路図である。図３において、２０は直流電動機起動盤、４は直流電動機である。電機子巻線の回路は、（プラス側）直流電源１１から、（プラス側）駆動スイッチ（コンタクタ）１２、起動抵抗１３、電機子巻線１６、（マイナス側）駆動スイッチ１２を経て（マイナス側）直流電源１１に至る。界磁巻線の回路は、（プラス側）直流電源１１から、（プラス側）駆動スイッチ１２、界磁抵抗１４、界磁スイッチ（コンタクタ）１５、界磁巻線１７、（マイナス側）駆動スイッチ１２を経て（マイナス側）直流電源１１に至る。界磁スイッチ１５は、駆動スイッチ１２の開閉と連動して開閉する。
【００１２】
図３に示すように、駆動スイッチ１２と界磁スイッチ１５の開閉は連動しているので、直流電動機起動盤２０が起動指令を受けて駆動スイッチ１２を閉じない限り、界磁スイッチ１５も閉じない。もし仮に交流電動機１運転の場合に直流電動機４が交流電動機１に連れ回され、実施の形態１の構成で交流電動機１が停止しない場合、直流電動機４の回転数が上昇し、残留磁束により発電機となって電圧を発生した場合でも、直流電動機４が運転中ではないので界磁スイッチ１５が開である。よって、界磁回路のループが構成されていないため、界磁電流が流れることはなく、直流電動機４が発電機としての界磁回路の形成を防ぐことで、直流電動機４が発電機として高電圧を発することが防止され、直流電動機４の損傷を防ぐことができるという効果がある。
【図面の簡単な説明】
【００１３】
【図１】この発明の実施の形態１による電動機装置を示す構成図である。
【図２】実施の形態１による制御ロジック図である。
【図３】実施の形態２による電動機装置の直流電動機を示す回路図である。
【符号の説明】
【００１４】
１  交流電動機                          ２  プーリ
３  クラッチ                            ４  直流電動機
５  プーリ                              ６  ベルト
７  補機                                ８  回転検出器
９  台板                              １０  ＡＮＤ回路
１１  直流電源                          １２  駆動スイッチ
１３  起動抵抗                          １４  界磁抵抗
１５  界磁スイッチ                      １６  電機子巻線
１７  界磁巻線                          ２０  直流電動機起動盤
【図１】
2009118598.tif 000003
【図２】
2009118598.tif 000004
【図３】
2009118598.tif 000005